(57)【要約】【課題】複数の部材を接合して組み立てた薬液用大型タンクに関して、落下時の割れや製造コストを抑制する。【解決手段】円筒状胴部と底板、蓋とを接合した本体部材を有する薬液用大型タンクであって、円筒状胴部と底板の接合を円筒状胴部の最下端において外向きのカール形状となるように巻き締めによって行う。また、円筒状胴部と蓋との接合も、外向きのカール形状となる巻き締めによって行ってもよい。大型タンクに薬液を注入・排出するためのパイプ部材を備えてもよく、それらの素材として、Ｍｏを０．３質量％以上とＮｂを０．１質量％以上含有するか、あるいはＣｕとＮｂを各々０．１質量％以上添加したフェライト系ステンレス鋼を用いても良い。【選択図】図１
2015030503.tif 000002
【特許請求の範囲】
【請求項１】
円筒状胴部と、その下部に接合された底板と、円筒状胴部の上部に接合された蓋とからなる本体部材を有する薬液用大型タンクであって、
円筒状胴部と底板は、外向きのカール形状に巻き締めして接合するとともに、巻き締めの位置が円筒状胴部の最下端であることを特徴する薬液用大型タンク。
【請求項２】
前記円筒状胴部と前記蓋との接合が、外向きのカール形状であることを特徴とする請求項１に記載の薬液用大型タンク。
【請求項３】
前記本体部材に薬液を注入・排出するパイプ部材を備える請求項１または２に記載の薬液用大型タンク。
【請求項４】
前記本体部材とパイプ部材の素材が、Ｍｏを０．３質量％以上と、Ｎｂを０．１質量％以上添加したフェライト系ステンレス鋼を用いたことを特徴とする請求項１から３のいずれか１に記載の薬液用大型タンク。
【請求項５】
本体部材とパイプ部材の素材が、ＣｕとＮｂを各々０．１質量％以上添加したフェライト系ステンレス鋼を用いたことを特徴とする請求項１から３のいずれか１に記載の薬液用大型タンク。
【発明の詳細な説明】
【技術分野】
【０００１】
本発明は、金属を素材とした薬液用大型タンクに関し、例えば農薬や医薬品、非水系電解液を貯蔵して輸送するための大型タンクに関する。
【背景技術】
【０００２】
従来の薬液用大型タンクは、取り扱い時の安全性を考慮して、内容物の薬液が漏れないことと落下時の耐衝撃強度が要求されている。
このような要求に対応するために特許文献１には、タンク上部に筒口を一体で有し、この筒口に薬液を注入・排出するためのパイプを接合した蓋を密栓するとともに、そのパイプの変形や破壊を防止するために、タンク上部に筒状のスカートを設けた構造を持つ薬液輸送用容器が開示されている。また、薬液全量を可能な限り排出させるためにパイプ直下のタンク底面が最も低くなるよう半球面形状の底面を備えたタンクを床面上で自立させるため、タンク下部には筒状のスカートを設けている。
特許文献２には、化学薬品を貯蔵するタンクとして、オーステナイト系ステンレス鋼を素材とした薬液用大型タンクが提案されている。
【先行技術文献】
【特許文献】
【０００３】
【特許文献１】特許３１６２３２９号公報
【特許文献２】特開昭５６−１０２５６１号公報
【発明の概要】
【発明が解決しようとする課題】
【０００４】
このように、従来から提案されている薬液用大型タンクは、薬液の漏れを防止するための密閉構造は十分に施されており、また、タンクを床面上で自立させることを目的としてタンク下部にスカートやカップ状の部材が設けられているものの、タンクが落下した際の耐衝撃強度に対しては不十分である。これは、タンクを床面上で自立させる目的のスカートやカップ状部材（以下、タンクの自立目的部材と称する）では、タンク本体の底面がタンクの自立目的部材の下端とほぼ同じ高さであるため、タンクが落下した際の衝撃をタンクの自立目的部材だけが受けるのではなく、タンク本体も受けてしまうためである。そこで、衝撃吸収特性に優れた構造とすることが望まれていた。特に最近は、海外へ薬液用大型タンクを海上輸送することが頻繁に行なわれており、国際連合危険物輸送及び分類調和専門家委員会の国際連合危険物輸送勧告に対応するためにも、耐衝撃強度が高いタンク構造にする必要がある。
また、複数の部材を重ね継手でＴＩＧ溶接してあるため、溶接時に発生したスパッタ処理の工程を追加しなければならず、これによって生産コストが高くなるという問題がある。さらに、溶接前の各部材間に隙間が発生する場合があり、この隙間によって溶接時に部分的な溶け落ちが発生しやすくなることから、隙間を小さくするために各部材の拘束作業が必要となる。これによって作業時間が長くなり、生産コストが高くなっている。
【０００５】
また、薬液用大型タンクの素材としては、オーステナイト系ステンレス鋼を用いることが提案されているが、Ｎｉが含有されていることから素材コストが高いために多くの用途に展開しにくい状況にあった。
本発明は、上記の課題を解決するため、耐衝撃強度が高く、内容物の薬液に対して耐食性を有するとともに、低コストになる薬液用大型タンクを提供することを目的とする。
【課題を解決するための手段】
【０００６】
本発明の薬液用大型タンクは、その目的を達成するため、円筒状胴部と、底板、蓋、下フランジを有する本体部材と、薬液を注入・排出するパイプ部材で構成されており、円筒状胴部と底板、また円筒状胴部と蓋をそれぞれ外向きのカール形状に巻き締めして接合するとともに、円筒状胴部と底板との巻き締め位置を円筒状胴部の最下端の位置にしたことを特徴としている。
また、薬液用大型タンクの素材としては、Ｍｏを０．３質量％以上と、Ｎｂを０．１質量％以上添加したフェライト系ステンレス鋼、またはＣｕとＮｂを各々０．１質量％以上添加したフェライト系ステンレス鋼を用いることも特徴としている。
【発明の効果】
【０００７】
本発明の薬液用大型タンクにおいては、本体部材の円筒状胴部と底板を、円筒状胴部の最下端の位置であり、かつ外向きのカール形状となる巻き締めで接合しているため、薬液用大型タンクが落下した際にカール部分に衝撃が集中してもカールが開放されることがない。これに対して、下部筒状部材の最下端が内向きにカールしていると、薬液用大型タンクが落下した際の衝撃でカールが開いてしまうのである。カールが開放してしまうと、カールが開放した部分近傍のみに衝撃による変形が集中して大きく変形してしまい、この部分はタンクの割れに至ることもある。すなわち、下部筒状部材の最下端を外側にカールさせることによって、落下による衝撃を下部筒状部材の広い部分で受けるので、局所的な変形を防止することができる。これによって、薬液用大型タンクの本体に伝播する歪みが緩和され、割れを防止することができる。
また、本体部材の円筒状胴部と底、また円筒状胴部と蓋を、それぞれ巻き締めにより接合していることから、各々の部材を重ねて隙間が発生しても、巻き締めた際の加圧によって隙間の発生を防止できるため、安定した溶接が可能となり、生産コストの上昇を防止できる。
また、薬液用大型タンクの本体部材やパイプ部材の素材をＭｏを０．３質量％以上と、Ｎｂを０．１質量％以上添加したフェライト系ステンレス鋼、またはＣｕとＮｂを各々０．１質量％以上添加したフェライト系ステンレス鋼としているので、落下による衝撃や取り扱い時の衝突に対して十分な強度を持つとともに、内容物の薬液に対して高い耐食性を有している。さらに、薬液用大型タンクのコストを下げることもできる。
【図面の簡単な説明】
【０００８】
【図１】本発明の薬液用大型タンクの断面模式図
【図２】塩水噴霧試験による耐食性比較結果を示す図
【発明を実施するための最良の形態】
【０００９】
以下、本発明の実施の形態について、図面を参照して詳細に説明する。
図１は、本発明の実施形態に係る薬液用大型タンク１の断面模式図である。薬液用大型タンク１は、薬液を貯蔵する本体部材２と、薬液を注入・排出するパイプ部材１２から構成されている。また、本体部材２は、円筒状胴部５と底板６、さらに蓋３と下フランジ１１からの構成である。
パイプ部材１２は、本体部材２に差し込まれ薬液を注入・排出するパイプ４と、上フランジ８から構成されており、薬液を本体部材２の内部に密閉するためには、上フランジ８と下フランジ１１の間にシール材９を挟みながらパイプ４を本体部材２内に差し込み、上フランジ８と下フランジ１１の間をボルト１０により締結する。
【００１０】
本体部材２の円筒状胴部５は、素材を円筒形状に加工して、突合せ部分を溶接にて接合している。この円筒状胴部５の一方端では、底板６と重ね合わせ、外向きのカール形状に巻き締め加工（接合部１４）を円周状に行って接合している。また、円筒状胴部５の他方端は、下フランジ１１を溶接により接合した蓋３と重ね合わせて、やはり外向きのカール形状となるように巻き締め加工（接合部１４）を円周状に行って接合している。円筒状胴部５の突合せ溶接や下フランジ１１を蓋３に溶接する方法は特に規定しないが、作業性を考慮すると片側から溶接できるＴＩＧ溶接などの溶融溶接によることが好ましい。
円筒状胴部５と蓋３の接合は、薬液用大型タンク１が側面から衝突を受けてパイプ部材１２が変形したり破壊したりすることを防止するため、円筒状胴部５でパイプ部材１２を囲う位置で行う。また、底板６との接合は、円筒状胴部５において底板６を接合した位置から下方の領域が、薬液用大型タンク１が落下した際に変形して衝撃力を吸収するように下側領域１３を設けた位置で行う。
【００１１】
蓋３は、パイプ４を本体部材２内に差し込むための挿入口７を有する。挿入口７は蓋３の中心に所定寸法の穴開け・バーリング加工した後に、下フランジ１１を溶接して製作している。上フランジ８には、パイプ４に溶接により接合されており、ボルト１０により下フランジ１１と組み付けるためのボルト穴が設けられている。
上フランジ８とパイプ４の接合や下フランジ１１と蓋３の接合に用いる溶接方法は、特に限定しないが、作業性を考慮すると片側から溶接できるＴＩＧ溶接などの溶融溶接にすることが好ましい。
【００１２】
本発明においては、薬液用大型タンク１を構成する部材には、薬液に対する耐食性や落下や衝突に対する強度性能、コストを考慮して、特定成分を添加したフェライト系ステンレス鋼を用いる。特に耐食性に関しては、オーステナイト系ステンレス鋼と同等以上の性能とする必要があり、そのため本発明者らは、フェライト系ステンレス鋼のなかでもＣｕとＮｂを添加した、あるいはＭｏとＮｂを添加したフェライト系ステンレス鋼に着目した。
【００１３】
これらのフェライト系ステンレス鋼の熱膨張率は、オーステナイト系ステンレス鋼と比較すると約１／２であり、また熱伝導率が約１．５倍であって熱の拡散が速いことから、溶接による加熱変形も約１／２以下となる。この変形量の低下に比例して、溶接時の部材の固定締め付け力も低くすることが可能である。
【００１４】
これらのフェライト系ステンレス鋼の耐食性は、代表的なＳＵＳ３０４との塩水噴霧試験（ＪＩＳ  Ｚ  ２３７１）における比較において、図２に示すようにＳＵＳ３０４と同等以上の耐食性を有することが判明した。ここで図２におけるレイティングナンバは、ＪＩＳ  Ｚ  ２３７１附属書１に記載のレイティングナンバ法に基づいて評価した塩水噴霧試験結果の判定である。
また、この塩水噴霧試験に用いた各供試材の成分組成は表１に示す通りである。
【００１５】
表１  塩水噴霧試験に用いたステンレス鋼の成分組成  （質量％）
2015030503.tif 000003
【００１６】
これらの成分組成のうちＭｏは、Ｃｒの存在下で耐食性を向上させる作用がある。また、Ｃｕの作用は、アノード電流を低下させて不動態皮膜を安定化させる効果であり、Ｎｂの作用はＮｂＣを形成することによって粒界へのＣｒ炭化物の析出を抑制してＣｒ欠乏を抑える効果である。
以上に示したように、本発明のフェライト系ステンレス鋼を薬液用大型タンクの素材とすることにより、オーステナイト系ステンレス鋼と同等以上の耐食性を確保することができる。
【００１７】
なお、基本となるフェライト系ステンレス鋼としては、質量％で、Ｃ：０．２５％以下、Ｓｉ：２．０％以下、Ｍｎ：１．０％以下、Ｐ：０．０４％以下、Ｓ：０．０１％以下、Ｃｒ：１６〜３５％、Ｎ：０.０２５％以下をベースとして、これにＮｂ：０．１〜０．６％やＣｕ：０．１〜１．０％、Ｍｏ：０．３〜６．０％を含有するものが好ましい。
【００１８】
Ｃ、Ｎは、耐食性の面からはＳＵＳ４３０やＳＵＳ４３４に含まれる程度でよいが、強度の成形加工や溶接加工が施される場合において、加工性、耐食性ならびに耐粒界腐食性、あるいは靭性の面からＣ、Ｎは低ければ低いほど好ましい。一方、Ｃ、Ｎを低めることは精錬時間の延長を来たし製造コストの上昇を招く。これは、Ｃ、Ｎを固定する作用を有するＮｂを適量添加することで、ある程度の含有は許容される。このため、Ｃは０．２５質量％以下、Ｎは０．０２５質量％以下とするが、加工性や溶接部の耐食性あるいは靭性が要求される場合には、Ｃは０．０３質量％以下、Ｎは０．０２質量％以下にするのが好ましい。
【００１９】
Ｓｉは、脱酸作用を有しており、後述するように同様の作用を有するＭｎを耐食性の面から減少させるので多い方が望ましい。しかし、多すぎると鋼を硬化させ加工性を損ない、また溶接時の高温割れや溶接部靭性に対しても有害であるので上限を２．０質量％とする。
【００２０】
Ｍｎは、硫化物形成能が強く、鋼中のＳと結合し水溶液中で不安定で発錆の起点となりやすいＭｎＳを形成し、耐食性を劣化させるので低いほうが望ましい。Ｍｎが低くなるに従って孔食電位は貴となり、耐食性が改善される。有意な耐食性を得るためにはＭｎを１．０質量％以下にする必要がある。
【００２１】
Ｓは、上述のようにＭｎと結合し耐食性に有害であり、低い方が望ましい。有意な耐食
性を得るためには、Ｓは０．０１質量％以下にする必要がある。特に過酷な条件下で使
用される場合には０．００２質量％以下にするのが好ましい。
【００２２】
Ｃｒは、不動態皮膜の主要構成元素であり、不動態効果を得るには少なくとも１６質量％のＣｒを必要とする。Ｃｒの増加は鋼の脆化をまねき加工時の割れや肌荒れを生じやすくなり、かつ軟質性が損なわれる。またＣｒの増加により製造が困難となり製造コストの上昇を招く。これらの理由から３５質量％を上限とする。
【００２３】
Ｎｂは、鋼中のＣ、Ｎを固定する元素として知られており、通常加工性および溶接部の諸特性を改善するのに添加されているが、これらの効果の他にＮｂＣ形成による粒界へのＣｒ炭化物の析出抑制により耐食性改善効果を有する。Ｎｂの下限は、粒界腐食を防止するためＣ、Ｎの固定に必要な量から０．１質量％とする。一方Ｎｂはその含有量が高くなり過ぎると、溶接やろう付け時の耐高温割れ性が低下し、靭性を損なうので０．６質量％を上限とする。
【００２４】
Ｃｕは、アノード電流を低下させることによる不動態皮膜の安定化により耐食性改善効
果を有する。安定した耐食性改善効果を得るために下限は０．１質量％とする。過剰の添加は、加工性を低下させると共に耐食性も低下させるため１．０質量％を上限とする。
【００２５】
Ｍｏは、一般的にはＣｒの存在下でステンレス鋼の耐食性を高める作用がよく知られている。このため、本発明では必要に応じてＭｏを添加することができる。種々検討の結果、Ｍｏによるステンレス鋼の耐食性を高める作用を十分に発揮させるためには０．３質量％のＭｏ含有量を確保することがより効果的である。しかし過剰のＭｏ添加は加工性低下やコスト増を招くので、Ｍｏを添加する場合は６．０質量％未満の範囲で行う。
【実施例】
【００２６】
（実施例１）
素材として表１に示した本発明１のフェライト系ステンレス鋼を用い、図１に示した構造の薬液用大型タンク１を製造した。本発明１のフェライト系ステンレス鋼を用いて製造した部材は、本体部材２のうち、円筒状胴部５、底板６、蓋３と、パイプ部材１２のうちパイプ４である。
【００２７】
薬液用大型タンク１の外径は６００ｍｍ、高さは１２００ｍｍである。本体部材２の円筒状胴部５と底板６、蓋３は板厚が２ｍｍであり、パイプ４は外径２０ｍｍで板厚１．５ｍｍのＴＩＧ溶接パイプを用いた。上フランジ８と下フランジ１１は、板厚４ｍｍ、外径６０ｍｍのものを用いた。
【００２８】
本体部材２の円筒状胴部５は、外径６００ｍｍとなるように曲げ加工を行った後に端部どうしをＴＩＧ溶接で接合した。また、底面６は、曲率半径が８００ｍｍとなる半球面形状に加工し、その外周部には、底板６を円筒状胴部５の内側に挿入したときに二重胴部となるように、外径５９６ｍｍの筒部を設けた。蓋３は、中央に穴径２５ｍｍ、高さ２０ｍｍのバーリング加工部を設け、そのバーリング加工部に下フランジ１１を配置し、ＴＩＧ溶接により接合するとともに、蓋３を円筒状胴部５の内側に挿入したときに二重胴部となるように、外径５９６ｍｍの筒部を設けた。
円筒状胴部５と底面６の接合は、底板６の筒部を円筒状胴部５の内部に挿入し、二重筒部の下端から外向きのカール形状となるように巻き締め加工を行って、下側領域１３の長さが２０ｍｍになるように接合部１４を形成した。また、円筒状胴部５と蓋３の接合は、蓋３の筒部を円筒状胴部の内部に挿入し、パイプ１２の頂部が円筒状胴部５の最上端より下方の位置となるように、蓋３の位置が円筒状胴部５の最上部から２９０ｍｍの位置となるように、円筒状胴部と蓋の二重筒部の上部から外向きのカール形状となるように巻き締め加工を行って、接合部１４を形成した。
一方、パイプ部材１２は、上フランジ８の中央に貫通穴を開け、パイプ４を通してパイプの周囲をＴＩＧ溶接で封止して製作した。
なお、上フランジ８には、ボルト１０を通すためのφ９ｍｍの穴を６箇所、下フランジ１１にはＭ６の雌ネジ部を６箇所設けた。
続いて、シール材９を用意した。シール材９は、外径６０ｍｍ、厚さ２ｍｍのポリプロピレン製で、中央にパイプ４を通すための直径３０ｍｍの穴１つと、その周囲にフランジのボルト穴と同じ配置でφ９ｍｍのボルト用穴６つをあけたものである。このシール材９を下フランジ１１の上に置き、パイプ部材１２のパイプ４を本体部材２の挿入口７から本体部材内部に挿入して、上フランジ８と下フランジ１１をボルト１０で締結して薬液用大型タンク１を完成させた。
同様の方法で、下部領域１３の長さが４０ｍｍと６０ｍｍである薬液用大型タンク１も製作した。
（実施例２）
【００２９】
素材として表１に示した本発明２のフェライト系ステンレス鋼を用い、図１に示した薬液用大型タンク１を製造した。薬液用大型タンク１の各部の寸法やシール材９の仕様は、実施例１と同じとした。
（比較例１）
【００３０】
素材として表１に示したＳＵＳ３０４を用い、図１に示した薬液用大型タンク１を製造した。薬液用大型タンク１の各部の寸法やシール材９の仕様は、実施例１と同じとして薬液用大型タンク１を製造した。
【００３１】
実施例１と２、および比較例１に示した薬液用大型タンク１に六フッ化燐酸リチウムを２００リットル注入し、トラック荷台からの積み下ろし作業時の落下を想定して、タンク本体を４５度傾けた状態で、高さ１．５ｍから鉛直方向に自由落下させた。その結果、何れの素材でも下部領域高さ２０ｍｍでは本体部材２に割れが発生したが、下部領域高さ４０ｍｍ以上では割れは発生せず、衝撃力に十分耐えることが分かった。
【００３２】
実施例１と２および比較例１の薬液用大型タンク１に六フッ化燐酸リチウムをベースとしたリチウムイオン電池用電解液を２００リットル注入し、９０℃の雰囲気下で1ヶ月放置して薬液用大型タンク１の状態を評価した。評価した結果、実施例１と比較例１，２の薬液用大型タンク１においては、変形や液漏れなどの異常は見られなかった。
【産業上の利用可能性】
【００３３】
本発明にかかる薬液用大型タンクは、薬液を貯蔵して輸送するタンクとして製造面やコスト面で好適である。
【符号の説明】
【００３４】
１  薬液用大型タンク
２  本体部材
３  蓋
４  パイプ
５  円筒状胴部
６  底面
７  挿入口
８  上フランジ
９  シール材
１０  ボルト
１１  下フランジ
１２  パイプ部材
１３  下側領域
１４  接合部
【図１】
2015030503.tif 000004
【図２】
2015030503.tif 000005